(57)【要約】      （修正有）【課題】適用する電源装置の選択肢を広げる、動作装置及び動作システムを提供する。【解決手段】動作装置は、電源からの供給電流により動作する動作部と、供給電流の電流値が閾値を上回った場合に供給電流の値を低下させる調整部と、電圧レベルの切替えを行う処理部とを備える。調整部は、スイッチの作動により供給電流を低下させる。スイッチは、電圧レベルの切替えにより作動する。その後、電流値が閾値を下回った場合に、電圧レベルを切替えの前に戻す。【選択図】図２
2019161300.tif 000002
【特許請求の範囲】
【請求項１】
電源からの供給電流により動作する動作部と、
前記供給電流の電流値が閾値を上回った場合に前記供給電流の値を低下させる調整部と、
を備える、動作装置。
【請求項２】
前記調整部は、スイッチの作動により前記低下を行う、請求項１に記載された動作装置。
【請求項３】
前記場合に電圧レベルの切替えを行う処理部をさらに備え、前記スイッチは、前記切替えにより前記作動を行う、請求項２に記載された動作装置。
【請求項４】
前記スイッチは半導体スイッチを備える、請求項３に記載された動作装置。
【請求項５】
前記場合の後で、前記電流値が閾値を下回った時に、前記電圧レベルを前記切替えの前に戻す、請求項４に記載された動作装置。
【請求項６】
前記作動が前記供給電流を調整する制御信号の変更である、請求項２乃至請求項５のうちのいずれか一に記載された動作装置。
【請求項７】
前記変更が、有効化及び無効化である、請求項６に記載された動作装置。
【請求項８】
前記制御信号が、Ｐｕｌｓｅ  Ｗｉｄｔｈ  Ｍｏｄｕｌａｔｉｏｎ制御信号である、請求項６又は請求項７に記載された動作装置。
【請求項９】
前記電流値を検出する検出部をさらに備える、請求項１乃至請求項８のうちのいずれか一に記載された動作装置。
【請求項１０】
請求項１乃至請求項９のうちのいずれか一に記載された動作装置と、前記電源とを備える、動作システム。
【発明の詳細な説明】
【技術分野】
【０００１】
本発明は、過電流を緩和する装置に関する。
【背景技術】
【０００２】
電源から装置に供給される過電流を検出し電流値を調整するシステムが一般に利用されている（特許文献１及び２参照）。
【０００３】
図１は、電源からファンに供給される過電流を調整する一般的なファンシステムの例であるファンシステム３０１の構成を表す概念図である。
【０００４】
ファンシステム３０１は、電源装置２０１とファン装置１０１とを備える。
【０００５】
電源装置２０１は、電流供給部２０６と、調整部２１１と、通信部２２１と、記録部２２６とを備える。
【０００６】
ファン装置１０１は、ファン１０６と、検出部１１１と、コンデンサ１２１と、通信部１４１とを備える。
【０００７】
ファン装置１０１のファン１０６は、電源装置２０１から供給される電流により稼動する。ファン１０６は、例えば、発熱装置を冷却するためのものである。
【０００８】
検出部１１１は、電源装置２０１からファン１０６に供給される供給電流を検出する。そして、検出部１１１は検出した電流を表す電流情報を通信部１４１に送付する。
【０００９】
通信部１４１は、前記電流情報を、逐次、電源装置２０１の通信部２２１に送付する。
【００１０】
通信部２２１はファン装置１０１から受信した前記電流情報を処理部２１６に送付する。
【００１１】
処理部２１６は、通信部２２１から送付された前記電流情報が表す電流値が、記録部２２６が保持する閾値を上回ったかについて、逐次判定する。そして、処理部２１６は、前記電流値が前記閾値を上回ったことを判定した場合に、調整部２１１に、調整を行わせるための情報である調整情報を出力する。
【００１２】
調整部２１１は、処理部２１６から前記調整情報が入力された場合には、電流供給部２０６からファン装置に供給される前記供給電流を低下させる。
【００１３】
なお、コンデンサ１２１は、ファン１０６への供給電圧を安定化させる目的で挿入されたものである。
【００１４】
ここで、特許文献１は、負荷に電流供給部から供給する電流を電流検出部により検出し、該電流検出部の検出電流が設定値を超えた時に、前記電流供給部から前記負荷に供給する電流を制限する過電流保護回路を開示する。
【００１５】
また、特許文献２は、第１検出信号に基づいて、ドレイン−ソース電圧が第１基準値より小さい場合、第２検出信号をラッチせずにそのまま出力し、出力トランジスタをオフ又はオンに制御する半導体装置を開示する。
【００１６】
また、特許文献３は、本発明に関連して、ＰＷＭ（Ｐｕｌｓｅ  Ｗｉｄｔｈ  Ｍｏｄｕｌａｔｉｏｎ）制御のスイッチングレギュレータ回路を開示する。
【先行技術文献】
【特許文献】
【００１７】
【特許文献１】特開平０６−２７６７３４号公報
【特許文献２】特開２０１３−２５５１１７号公報
【特許文献３】特開２０００−１３９０７２号公報
【発明の概要】
【発明が解決しようとする課題】
【００１８】
市販の電源装置には、受信した情報により電流値を調整する機構を備えないものがある。図１に表すファンシステム３０１の電源装置２０１には、電流値を調整する機構を備えたものを用いる必要がある。そのため、ファンシステム３０１を製造する際の電源装置の選択幅が狭まる問題がある。
【００１９】
本発明は、適用する電源装置の選択肢を広げ得る、動作装置等の提供を目的とする。
【課題を解決するための手段】
【００２０】
本発明の動作装置は、電源からの供給電流により動作する動作部と、前記供給電流の電流値が閾値を上回った場合に前記供給電流の値を低下させる調整部と、を備える。
【発明の効果】
【００２１】
本発明の動作装置等は、適用する電源装置の選択肢を広げ得る。
【図面の簡単な説明】
【００２２】
【図１】電源からファンに供給される過電流を調整する一般的なファンシステムの構成例を表す概念図である。
【図２】第一実施形態のファンシステムの構成例を表す概念図である。
【図３】第一実施形態のファンシステムにおいて過電流が抑えられる様子を表すイメージ図である。
【図４】第二実施形態のファンシステムの構成例を表す概念図である。
【図５】第二実施形態のファンシステムにおいて過電流が抑えられる様子を表すイメージ図である。
【図６】第三実施形態のファンシステムの第一の構成例を表す概念図である。
【図７】第三実施形態のファンシステムの第二の構成例を表す概念図である。
【図８】実施形態の動作装置の最小限の構成を表すブロック図である。
【発明を実施するための形態】
【００２３】
＜第一実施形態＞
第一実施形態は、過電流を抑える機構を備えるファン装置に関する実施形態である。
［構成と動作］
図２は、第一実施形態のファンシステムの例であるファンシステム３０１の構成を表す概念図である。
【００２４】
ファンシステム３０１は、電源装置２０１と、ファン装置１０１とを備える。
【００２５】
電源装置２０１は、電流供給部２０６を備える。
【００２６】
ファン装置１０１は、ファン１０６と、検出部１１１と、ＦＥＴ１１６と、コンデンサ１２１と、処理部１２６と、記録部１３１とを備える。ここで、ＦＥＴは、Ｆｉｅｌｄ  ｅｆｆｅｃｔ  ｔｒａｎｓｉｓｔｏｒの略である。
【００２７】
ファン１０６は、電源装置２０１から供給された供給電流により稼動する。ファン１０６は、例えば、対象物を冷却するためのものである。
【００２８】
コンデンサ１２１は、前記供給電流を安定化するためのものである。
【００２９】
検出部１１１は、前記供給電流の電流値を、逐次、検出する。そして、検出部１１１は、前記電流値を表す電流情報を、逐次、処理部１２６に入力する。
【００３０】
処理部１２６は、前記電流値が、記録部１３１が保持する閾値を超えたかについて逐次判定する。そして、処理部１２６は、前記電流値が前記閾値を超えたことを判定すると、ＦＥＴのゲート（Ｇ）端子の電圧レベルを「０」から「１」に切り替える。処理部１２６は、その後、前記電流値が前記閾値を下回ったことを判定すると、ＦＥＴのゲート（Ｇ）端子の電圧レベルを「１」から「０」に切り替える。
【００３１】
ＦＥＴ１１６は、Ｇ端子の電圧レベルが「０」から「１」に切り替わると、ソース（Ｓ）−ドレイン（Ｄ）間を絶縁する方向に動作する。これにより、前記電流値は減少する。
【００３２】
一方、ＦＥＴ１１６は、Ｇ端子の電圧レベルが「１」から「０」に切り替わると、Ｓ端子とＤ端子の間を導通する方向に動作する。
【００３３】
図３は、図２に表すファンシステム３０１において前記過電流が抑えられる様子を表すイメージ図である。
【００３４】
図３においては、時刻ｔ０で、電源装置２０１からファン装置１０１への前記供給電流の供給が開始されたものとしている。
【００３５】
図３に表す検出電流Ｉｓは、検出部１１１が検出する前記供給電流の前記電流値である。検出電流Ｉｓは、電源装置２０１から、ファン１０６及びコンデンサ１２１に供給される電流の和である。
【００３６】
検出電流Ｉｓは、時刻ｔ０以降、時間の経過に伴い増大する。検出電流Ｉｓの立ち上がりに時間を要するのは、検出電流Ｉｓが表す供給電流が通過する経路に存在又は寄生する、キャパシタンスやコンダクタンスの影響によるものである。
【００３７】
そして、検出電流Ｉｓは、時刻ｔ１において、閾値Ｉ４を上回る。閾値Ｉ４は、図２に表す記録部１３１が保持する前述の閾値である。
【００３８】
すると、処理部１２６は前記供給電流が前記閾値を超えたことを判定する。そして、処理部１２６は、ＦＥＴ１１６のＧ端子の電圧を「０」から「１」に切り替える。これにより、ＦＥＴ１１６はＳ端子−Ｄ端子間を絶縁する方向に動作させる。当該動作により、検出電流Ｉｓは時刻ｔ２の間でピークをとった後に下降する。
【００３９】
ここで、当該下降が瞬時に行われず時間を要するのは、処理部１２６における処理遅延と、ＦＥＴ１１６における前記動作に係る動作時間の影響を想定したものである。
【００４０】
検出電流Ｉｓは、時刻ｔ３で、閾値Ｉ４を下回る。これにより、処理部１２６は前記供給電流が前記閾値を下回ったことを判定する。そして、処理部１２６は、ＦＥＴ１１６のＧ端子の電圧を「１」から「０」に切り替える。
【００４１】
すると、ＦＥＴ１１６はＳ端子−Ｄ端子間を導通する動作を行う。これにより、検出電流Ｉｓは下降から上昇に転じる。ここで、当該検出電流が下降から上昇に転ずるのが瞬時に行われず時間を要するのは、検出部１１１及び処理部１２６における処理遅延と、ＦＥＴ１１６における前記動作に係る動作時間の影響を想定したものである。図３において、前記上昇が現れるのは、時刻ｔ５以降である。
【００４２】
なお、時刻ｔ４と時刻ｔ６との間で、図２に表すファン１０６を流れる電流である電流Ｉｆが、検出電流Ｉｓを上回っており、かつ、コンデンサ１２１に供給される電流である電流Ｉｃがマイナスになっている。これは、時刻ｔ４と時刻ｔ６との間で、コンデンサ１２１により与えられる端子Ａの電位が、ＦＥＴ１１６の端子Ｄの電位を上回ることにより、コンデンサ１２１からファン１０６への電流の供給が行われていることを想定したものである。
【００４３】
時刻ｔ６以降は、図２に表す電源装置２０１からコンデンサ１２１及びファン１０６への電流供給が行われる。
【００４４】
電流Ｉｃは時刻ｔ８で０になる。これは、電流供給部２０６からコンデンサ１２１への充電が完了したためである。
【００４５】
時刻ｔ８以降においては、検出電流Ｉｓと電流Ｉｆはほぼ等しくなる。時刻ｔ８以降において検出電流Ｉｓ及び電流Ｉｆが漸減するのは、ファン１０６が備える図示しないモータの回転数の上昇に伴うものであることを想定しているためである。検出電流Ｉｓ及び電流Ｉｆは、後に、前記モータの回転数が一定になると、ほぼ一定になる。
［効果］
第一実施形態のファンシステムは、電源装置からファンに供給される供給電流が閾値を超えると、ＦＥＴにファンへの供給電流を遮断する方向の動作を行わせる。そのため、前記ファンシステムは、前記過電流を抑えることを可能にする。
【００４６】
前記ファンシステムは、前記動作を、送受信を伴う通信を介さずに、処理部からＦＥＴに供給するゲート電圧の切替えで行う。前記動作を行うための、送受信処理がないことから、前記ファンシステムは、電源投入時に発生するもののような短時間の過電流も抑えることができる。
【００４７】
さらに、前記ファンシステムにおいては、前記動作を行う構成をファン装置が備える。そのため、電源装置２０１は、電流供給部を備えていればよい。従い、前記ファンシステムは、実際に製造する際の電源装置の選択幅を増やすことを可能にする。
＜第二実施形態＞
第二実施形態は、ＰＷＭ制御により供給電流が調整される場合において、ファンに流れる過電流を抑えるファンシステムに関する実施形態である。ここで、ＰＷＭは、Ｐｕｌｓｅ  Ｗｉｄｔｈ  Ｍｏｄｕｌａｔｉｏｎの略である。ＰＷＭ制御は、周知の技術であり、例えば、特許文献３に開示がある。
［構成と動作］
図４は、第二実施形態のファンシステムの例であるファンシステム３０１の構成を表す概念図である。
【００４８】
ファンシステム３０１は、電源装置２０１とファン装置１０１とを備える。
【００４９】
図４に表す電源装置２０１の説明は、図２に表す電源装置２０１の説明と同じである。
【００５０】
ファン装置１０１は、ファン１０６と、検出部１１１と、ＦＥＴ１１６と、処理部１２６と、記録部１３１、調整部１３６と、制御部１５１と、検出部１４６とを備える。
【００５１】
検出部１１１は、電源装置２０１からファン１０６に供給される電流の所定の期間の平均値を、逐次、検出する。ここで、検出部１１１による検出対象を前記平均値とするのは、後述のように、調整部１３６が、制御部１５１から入力されるＰＷＭ信号により、供給電流の調整部１３６への入力を断続的なものにするからである。検出部１１１は、検出した平均値を表す電流情報を、逐次、処理部１２６に入力する。
【００５２】
処理部１２６は、検出部１１１から送付された電流情報が表す電流値が、記録部１３１が保持する閾値を超えたかについて逐次判定する。そして、処理部１２６は、前記電流値が前記閾値を超えたことを判定すると、Ｇ端子の電圧レベルを「１」から「０」に切り替える。処理部１２６は、その後、前記電流値が前記閾値を下回ったことを判定すると、Ｇ端子の電圧レベルを「０」から「１」に切り替える。
【００５３】
検出部１４６は、ファン１０６による冷却対象の温度を測定する。そして、検出部１４６は、当該温度を表す温度情報を制御部１５１に送付する。
【００５４】
制御部１５１は、前記温度情報により、調整部１３６に対し、ＰＷＭ制御を行う。
【００５５】
調整部１３６は、電源装置２０１から入力された供給電流を制御部１５１から入力されたＰＷＭ信号の変化タイミングに同期してオンとオフとを繰り返させた電流に、直流のバイアス電流を重畳した、中間電流を生成する。前記ＰＷＭ信号は、所定の周期で１と０のレベルを繰り返す信号である。調整部１３６は、当該中間電流の生成を、例えば、ＤＣ−ＡＣコンバータにより行う。ここで、ＤＣは、Ｄｉｒｅｃｔ  Ｃｕｒｒｅｎｔの略である。また、ＡＣは、ａｌｔｅｒｎａｔｉｎｇ  ｃｕｒｒｅｎｔの略である。
【００５６】
調整部１３６は、前記中間電流に対し平滑化処理を行い、直流電流に変換する。当該直流電流の直流電流値は、前記ＰＷＭ信号のデューティー比に依存する。そのため、前記ＰＷＭ信号のデューティー比により、前記直流電流値は調整される。当該直流電流値は、調整部における変換損失が無視できるレベルであれば、検出部１１１が検出する前記平均値にほぼ等しい。
【００５７】
ＰＷＭ信号の信号レベルが「０」の期間がある程度以上の期間継続すると、前記直流電流値は、前記バイアス電流の直流電流値に近づく。なお、前記バイアス電流は、０であっても構わない。
【００５８】
ＦＥＴ１１６は、処理部１２６が、Ｇ端子の電圧レベルを「１」から「０」に切り替えると、Ｓ端子とＤ端子との間を導通させる。当該導通により、Ｄ端子はグランドに接続される。これにより、制御部１５１から調整部１３６に送付される前記ＰＷＭ制御信号の信号レベルは常に「０」レベルになる。すなわち、前記導通により、調整部１３６に入力される前記ＰＷＭ信号が無効化される。
【００５９】
ＦＥＴ１１６は、処理部１２６が、その後に、Ｇ端子の電圧レベルを「０」から「１」に切り替えると、Ｓ端子とＤ端子との間を絶縁させる。当該絶縁により、Ｄ端子はグランドから絶縁される。これにより、制御部１５１から調整部１３６に送付される前記ＰＷＭ制御信号が有効になる。
【００６０】
図５は、図４に表すファンシステム３０１において過電流が抑えられる様子を表すイメージ図である。
【００６１】
図４に表すファンシステム３０１においては、電源装置２０１からファン装置１０１に供給される前記平均値である検出電流Ｉｓは、ファン１０６に供給される電流Ｉｆに等しい。
【００６２】
検出電流Ｉｓは、図５に表すように、時刻ｔａにおいて変動により上昇を始め、時刻ｔｂで閾値Ｉ４を超えたことを想定する。
【００６３】
その場合、図４に表す処理部１２６は、時刻ｔｂで、検出電流Ｉｓが閾値Ｉ４を上回ったことを判定する。そして、処理部１２６は、ＦＥＴ１１６のゲート電圧を「０」の電圧レベルに切り替える。
【００６４】
ＦＥＴ１１６は、ゲート信号の「０」の電圧レベルへの切替えにより、Ｓ端子−Ｄ端子間を短絡させる方向の動作を行う。
【００６５】
そのため、検出電流Ｉｓは図５にあらわすように閾値Ｉ４を少し超えただけで、それ以上の上昇は抑えられる。
【００６６】
その後、処理部１２６は、時刻Ｔｄを過ぎた時点で、検出電流Ｉｓが閾値Ｉ４を下回ったことを検出したとする。
【００６７】
すると、処理部１２６は、ＦＥＴ１１６のゲート電圧を「１」の電圧レベルに切り替える。
【００６８】
ＦＥＴ１１６は、ゲート信号の「１」の電圧レベルへの切替えにより、Ｓ端子−Ｄ端子間を絶縁する方向の動作を行う。
【００６９】
その後、検出電流Ｉｓは下降し時刻ｔｄ以降で通常値に戻ったとする。これは、時刻ｔｄ以降においては、電源装置２０１により供給される供給電流の異常が収まったことを想定したものである。
［効果］
第二実施形態のファンシステムにおいては、ファン装置は、検出電流が閾値を超えると、ＦＥＴのソース−ドレイン間の短絡により、調整部のＰＷＭ制御信号入力端子をグランドに接続することにより無効化する。前記ファンシステムは、前記接続により、ファンへの供給電流が過電流になることを抑えることを可能にする。
【００７０】
前記ファンシステムにおいては、前記動作を行う構成をファン装置が備える。そのため、電源装置２０１は、電流供給部を備えていればよい。従い、前記ファンシステムは、実際に製造する際の電源装置の選択幅を増やすことを可能にする。
＜第三実施形態＞
第三実施形態は、ＦＥＴを駆動する１／０信号を電源装置がファン装置に供給するファンシステムに関する実施形態である。
［構成と動作］
図６は、第三実施形態のファンシステムの第一の例であるファンシステム３０１ａの構成を表す概念図である。
【００７１】
ファンシステム３０１ａは、図２に表すファンシステム３０１と、検出部１１１、処理部１２６及び記録部１３１を、ファン装置１０１ａではなく電源装置２０１ａが備える点が異なる。
【００７２】
そして、検出部１１１、処理部１２６及び記録部１３１は、図２の説明において述べた動作を電源装置２０１ａの内部で行う。
【００７３】
上記を除いて、ファンシステム３０１ａの説明は、図２に表すファンシステム３０１の説明と同じである。ただし、図２に表すファンシステム３０１の説明におけるファンシステム３０１、電源装置２０１及びファン装置１０１は、この順に、ファンシステム３０１ａ、電源装置２０１ａ及びファン装置１０１ａと読み変える。また、上記説明と図２の説明とが矛盾する場合は、上記説明を優先する。
【００７４】
図７は、第三実施形態のファンシステムの第二の例であるファンシステム３０１ｂの構成を表す概念図である。
【００７５】
ファンシステム３０１ｂは、図４に表すファンシステム３０１と、検出部１１１、処理部１２６及び記録部１３１を、ファン装置１０１ｂではなく電源装置２０１ｂが備える点が異なる。
【００７６】
そして、検出部１１１、処理部１２６及び記録部１３１は、図４の説明において述べた動作を電源装置２０１ｂの内部で行う。
【００７７】
上記を除いて、ファンシステム３０１ｂの説明は、図４に表すファンシステム３０１の説明と同じである。ただし、図４に表すファンシステム３０１の説明におけるファンシステム３０１、電源装置２０１及びファン装置１０１は、この順に、ファンシステム３０１ｂ、電源装置２０１ｂ及びファン装置１０１ｂと読み変える。また、上記説明と図４の説明とが矛盾する場合は、上記説明を優先する。
［効果］
第三実施形態のファンシステムは、検出部、処理部及び記録部を電源装置が備えている場合に、その電源装置を、そのまま利用するか、１／０信号を出力する軽微な変更を行うだけで、第一、第二実施形態のファンシステムと同等の効果を得ることができる。
【００７８】
以上の実施形態の説明においては、電源装置が電流を供給する対象の装置である対象装置がファンである場合の例を説明した。しかしながら、前記対象装置は、電流の供給により稼動する装置であれば他のものでも構わない。
【００７９】
なお、前記対象装置が、中央演算処理装置などのインテリジェンスなデバイスの場合は、１／０信号により、自身の消費電流を抑制することができる。そのため、前記対象装置が、電源装置と通信を行い、供給状態を監視する処理が不要となる。
【００８０】
また、前記対象装置がファン装置などの非インテリジェンスなデバイスの場合は、前記対象装置が消費電流を自ら抑制することはできないのでＦＥＴのような回路が必要となる。その場合でも、対象装置は、ＦＥＴを用いた供給電力の制御やＰＷＭ信号の制御等を行う回路の内容を問わず、１／０信号により前記回路を動作させることで、電流を抑制することができる。
【００８１】
また、電源装置により供給電流を抑制すると、その電源装置から電流が供給されるすべての負荷への供給電流が抑制される。そのため、抑制したくない又はしてはいけないデバイスへの供給電流も抑制される。これに対し、実施形態のシステムは、供給電流を抑制したい対象装置（前述の例ではファン装置）を選んで、その対象装置への供給電流のみを抑制することが可能である。
【００８２】
図８は、実施形態の動作装置の最小限の構成である動作装置１０１ｘの構成を表すブロック図である。
【００８３】
動作装置１０１ｘは、動作部１０６ｘと、調整部１１６ｘとを備える。
【００８４】
動作部１０６ｘは、図示しない電源からの供給電流により動作する。
【００８５】
調整部１１６ｘは、前記供給電流の電流値が閾値を上回った場合に前記供給電流の値を低下させる。
【００８６】
動作装置１０１ｘは、前記供給電流の過電流を抑制するため、前記電源は、前記供給電流の過電流を抑制するための機構を備える必要がない。従い、動作装置１０１ｘは、実際に製造する際の電源装置の選択幅を増やすことを可能にする。
【００８７】
そのため、動作装置１０１ｘは、前記構成により、［発明の効果］の項に記載した効果を奏する。
【００８８】
なお、動作装置１０１ｘは、例えば、図２又は図４に表すファン装置１０１である。また、動作部１０６ｘは、例えば、図２又は図４に表すファン１０６である。また、調整部１１６ｘは、例えば、図２に表す処理部１２６とＦＥＴ１１６とを組み合わせた構成、又は、図４に表す処理部１２６とＦＥＴ１１６とを組み合わせた構成である。また、前記電源は、例えば、図２又は図４に表す電源装置２０１である。
【００８９】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【００９０】
また、前記の実施形態の一部又は全部は、以下の付記のようにも記述され得るが、以下には限られない。
（付記１）
電源からの供給電流により動作する動作部と、
前記供給電流の電流値が閾値を上回った場合に前記供給電流の値を低下させる調整部と、
を備える、動作装置。
（付記２）
前記調整部は、スイッチの作動により前記低下を行う、付記１に記載された動作装置。
（付記３）
前記場合に電圧レベルの切替えを行う処理部をさらに備え、前記スイッチは、前記切替えにより前記作動を行う、付記２に記載された動作装置。
（付記４）
前記スイッチは半導体スイッチを備える、付記３に記載された動作装置。
（付記５）
前記半導体スイッチが電界効果トランジスタであり、前記電圧レベルが、前記電界効果トランジスタのゲートに入力される、付記４に記載された動作装置。
（付記６）
前記場合の後で、前記電流値が閾値を下回った時に、前記電圧レベルを前記切替えの前に戻す、付記５に記載された動作装置。
（付記７）
前記作動が前記供給電流を調整する制御信号の変更である、付記２乃至付記６のうちのいずれか一に記載された動作装置。
（付記８）
前記変更が、有効化及び無効化である、付記７に記載された動作装置。
（付記９）
前記制御信号が、Ｐｕｌｓｅ  Ｗｉｄｔｈ  Ｍｏｄｕｌａｔｉｏｎ制御信号である、付記７又は付記８に記載された動作装置。
（付記１０）
前記制御信号が、前記動作部の動作状態により前記調整を行う、付記７乃至付記９のうちのいずれか一に記載された動作装置。
（付記１１）
前記作動が、前記動作部に入力される前記供給電流の、供給及び供給停止である、付記２乃至付記１０のうちのいずれか一に記載された動作装置。
（付記１２）
前記動作部における前記供給電流の入力部がコンデンサを介して接地されている、付記１乃至付記１１のうちのいずれか一に記載された動作装置。
（付記１３）
前記動作部がファンである、付記１乃至付記１２のうちのいずれか一に記載された動作装置。
（付記１４）
前記電流値を検出する検出部をさらに備える、付記１乃至付記１３のうちのいずれか一に記載された動作装置。
（付記１５）
前記閾値を保持する記録部をさらに備える、付記１乃至付記１４のうちのいずれか一に記載された動作装置。
（付記１６）
付記１乃至付記１５のうちのいずれか一に記載された動作装置と、前記電源とを備える、動作システム。
【符号の説明】
【００９１】
１０１    ファン装置
１０１ｘ    動作装置
１０６    ファン
１１１    検出部
１１６    ＦＥＴ
１１６ｘ    調整部
１２１    コンデンサ
１２６    処理部
１３１    記録部
１４１    通信部
１４６    検出部
２０１    電源装置
２０６    電流供給部
２１１    調整部
２１６    処理部
２２６    記録部
２２１    通信部
３０１    ファンシステム
【図１】
2019161300.tif 000003
【図２】
2019161300.tif 000004
【図３】
2019161300.tif 000005
【図４】
2019161300.tif 000006
【図５】
2019161300.tif 000007
【図６】
2019161300.tif 000008
【図７】
2019161300.tif 000009
【図８】
2019161300.tif 000010